(57)【要約】【課題】  窓ガラス等の清掃面の水拭きと、水切りとの双方を行うことができ、コスト上、収納スペース上に有利な清掃具を提供する。【解決手段】  柄部２の先端に固定され、保持フレーム３の先端部に水拭き用のモップヘッド７を配するとともに、その支持フレーム３の上部先端あるいは下部先端にラバー製のブレード２１を有する水切り用のスクレーパ部４を着脱自在に装着する。【選択図】図１
2005237468.tif 000002
【特許請求の範囲】
【請求項１】
柄部と、この柄部の先端部に設けられる保持フレームと、この保持フレームの先端部に配され被清掃面に接当される清掃体と、前記保持フレームの先端部に設けられ前記清掃体を絞るための絞り具と、前記保持フレームに装着される水切り用のスクレーパ部を備えることを特徴とする清掃具。
【請求項２】
前記スクレーパ部は、前記保持フレームに対して着脱自在に装着される請求項１に記載の清掃具。
【請求項３】
前記清掃体は、前記柄部に回動可能に設けられる回動レバーに基端部が枢支される連結杆の先端部に着脱自在に装着される請求項１または２に記載の清掃具。
【発明の詳細な説明】
【技術分野】
【０００１】
本発明は、例えばガラス窓等の清掃面の水拭きおよび水切りを行うための清掃具に関するものである。
【背景技術】
【０００２】
従来、ガラス窓の拭き掃除を行うための清掃具として、把手付きの柄部の先端にスポンジ等の清掃体を幅方向に向けて取り付けてなる構成のものが実用に供されている。
【０００３】
この種従来の清掃具は、清掃体を水あるいは洗剤入りの溶液に浸した後、水切り用の２本のローラ間に清掃体を挟み付けて適度に水気を切り、前記清掃体を窓ガラスの所要位置に当てて前後左右に動かし、窓ガラスの拭き掃除（水拭き）を行うように構成されている。
【０００４】
また、清掃面に残留する水気を除去するには、柄部とその柄部の先端に幅方向に向けて固定されるラバー製のブレードからなるスクレーパが用いられている。
【発明の開示】
【発明が解決しようとする課題】
【０００５】
しかしながら、前述のように水拭き用の清掃具と水切り用のスクレーパとを用いて窓ガラス等の清掃を行う際には、水拭き用の清掃具で水拭きを行った後に、清掃具とスクレーパとを持ち換えてそのスクレーパによって水分除去作業を行う必要があるため、非常に手間がかかるだけでなく、２種類の清掃具を準備しなければならず、コスト的にもその清掃具を収納するためのスペース上においても余分に必要になるという問題点がある。
【０００６】
本発明は、このような問題点を解決するためになされたもので、水拭き作業と、水切り作業とを１つの清掃具にて行うことができ、コスト上もスペース上も有利な清掃具を提供することを目的とするものである。
【課題を解決するための手段】
【０００７】
前記目的を達成するために、本発明による清掃具は、
柄部と、この柄部の先端部に設けられる保持フレームと、この保持フレームの先端部に配され被清掃面に接当される清掃体と、前記保持フレームの先端部に設けられ前記清掃体を絞るための絞り具と、前記保持フレームに装着される水切り用のスクレーパ部を備えることを特徴とするものである（第１発明）。
【０００８】
本発明において、前記スクレーパ部は、前記保持フレームに対して着脱自在に装着されるのが好ましい（第２発明）。
【０００９】
また、前記清掃体は、前記柄部に回動可能に設けられる回動レバーに基端部が枢支される連結杆の先端部に着脱自在に装着されるのが良い（第３発明）。
【発明の効果】
【００１０】
本発明によれば、水拭き用の清掃体と水切り用のスクレーパ部の双方を備えているので、被清掃面の水拭き作業とその水拭き作業完了後の水切り作業の両方の作業を１つの清掃具にて行うことができる。そのため、水拭き作業から水切り作業に移行するときに、別用具に持ち換える手間を省くことができる。また、水拭き用の清掃具と、水切り用の清掃具の両方を準備する必要がないのでコスト的にも清掃具の収納スペース的にも有利である。
【００１１】
また、第２発明の構成を採用することによって、スクレーパ部が摩耗あるいは損傷した際に、そのスクレーパ部を容易に交換することができる。
【００１２】
さらに、第３発明の構成を採用すれば、清掃体が着脱自在にされているので、清掃体が汚れて、清掃面の清掃ができなくなったときには、その清掃体を容易に交換することができる。そのため、清掃体を常に清潔に保つことができる。
【発明を実施するための最良の形態】
【００１３】
次に、本発明による清掃具の具体的な実施の形態について、図面を参照しつつ説明する。
【００１４】
図１には、本発明の一実施形態に係る清掃具の斜視図が、図２には、同清掃具の平面図が、図３には同清掃具の側面図が、図４には同清掃具の底面図がそれぞれ示されている。また、図５には、スクレーパ部および清掃体を取り外した状態の平面図が示されており、図６には、図５のＡ−Ａ視断面図が示されている。
【００１５】
本実施形態に係る清掃具１は、途中で屈曲される把手（図示せず）付きのパイプ状の柄部２と、この柄部２の先端部に固定される保持フレーム３と、この保持フレーム３の先端上部に着脱自在に装着される水切り用のスクレーパ部４と、前記柄部２の前記保持フレーム３よりもやや基端部寄りに固定される円筒状の支持部材５'を介して前記柄部２に対して支軸５ａ周りに矢印Ｐ方向（図３参照）に回動自在に支持されるレバー（回動レバー）５と、このレバー５の長手方向の中央部寄りの位置に設けられる支軸６ａにその基端部が枢着される連結杆６と、この連結杆６の先端部に着脱自在に装着されるスポンジ製の清掃体（モップヘッド）７とを備えて構成されている。
【００１６】
前記保持フレーム３は前記柄部２の先端部を挿入保持する保持部１０ａを有するフレーム本体１０と、このフレーム本体１０の両側部にそれぞれ設けられ、後述のローラ１２，１２を支持する左右一対のローラ支持部１１，１１から構成されている。
【００１７】
前記各ローラ支持部１１，１１は、上腕部１１ａと下腕部１１ｂとを備えて、先端側が開口された全体として略Ｕ字形状に形成されている。各ローラ支持部１１，１１の上腕部１１ａの先端部および、下腕部１１ｂの先端部には、ローラ（絞り具）１２が互いに上下に対向するように、かつ回動可能に、かつローラ支持部１１に対し直交する方向に向けて支持されている。また、互いに対向するローラ１２，１２間には、モップヘッド７の一部が挟み付けられている。
【００１８】
前記各ローラ１２，１２は、前記各上腕部１１ａ，１１ａおよび下腕部１１ｂ，１１ｂの先端部それぞれに回動自在に、かつ柄部２に直交する向きに延設される上下一対の軸部（図示せず）と、各軸部の外周で、隣接する上腕部１１ａ，１１ａ間および下腕部１１ｂ，１１ｂ間に配されるローラ部１２ａと、各上腕部１１ａおよび下腕部１１ｂの外側に配されるローラ部１２ｂを備えて構成されている。なお、ローラ部１２ｂは軸部に固定されて軸部と共に回転するのに対し、ローラ部１２ａは軸部に対して自由に回転する。
【００１９】
また、前記フレーム本体１０の基端中央部には、前記保持部１０ａが設けられており、この保持部１０ａの両側方には、前記連結杆６が貫通される切欠部１０ｂ、１０ｂが形成されている（図４参照。）。また、フレーム本体１０は、前記上腕部１１ａ，１１ａを接続する板状の上部フレーム部１０ｃと、下腕部１１ｂ，１１ｂを接続する下部フレーム部１０ｄとが基端部で繋がった形状とされている。（図９（ａ）参照。）。ここで、前記上部フレーム部１０ｃの前端と上腕部１１ａ−１１ａ間に配されるローラ部１２ａの外周面との間には、所要間隔の中空部１４ａが形成されており（図５参照。）、この中空部１４ａを利用して前記スクレーパ部４を保持フレーム３の上部に装着するようにされている。また、図４に示されるように、下部フレーム部１０ｄの先端と、下腕部１１ｂ，１１ｂ間に配されるローラ部１２ａの間にも同様の中空部１４ｂが形成されている。これによって、前記スクレーパ部４を保持フレーム３の先端下部にも装着できるようになっている。
【００２０】
さらに、図６に示されているように、前記上部フレーム部１０ｃの下面両側部には、上部ガイド突起１７ａ，１７ａが設けられ、前記下部フレーム部１０ｄの上面両側部には、下部ガイド突起１７ｂ、１７ｂが、各上部ガイド突起１７ａ，１７ａと互いに対向するように設けられている。これら各ガイド突起１７ａ，１７ｂは、保持フレーム３の内側空間に突出するように、かつその保持フレーム３の基端部と先端部とを結ぶ方向に向けて設けられており、後述の係止片３１および、この係止片３１に装着されるモップヘッド７を、保持フレーム３の前端部と下端部を結ぶ方向にガイドするようにされている。
【００２１】
前記スクレーパ部４は、図７（ａ）、（ｂ）に示されるように、樹脂製の基部２０を介して前記保持フレーム３に支持されるラバー製のブレード２１を備えて構成されている。前記基部２０は、前記上部フレーム部１０ｃ−ローラ部１２ａ間の中空部１４ａに装着される装着部２０ａと、この装着部２０ａの先端（図７（ｂ）における上側）に設けられ、先端部に前記ブレード２１を保持するブレード保持部２０ｂから構成されている。
【００２２】
前記装着部２０ａのローラ１２寄りの端部（図７（ａ）における右側）には、前記ローラ部１２ａの外周形状に合わせて側面視で円弧状に形成された差し込み片２３が設けられており、この差し込み片２３の両脇には、その差し込み片２３を後方（図７（ａ）中、矢印Ｑ参照。）に撓ませるための、切欠２３'，２３'設けられている。また、その差し込み片２３のローラ１２側の面には、スクレーパ部４が装着されたときに、前記ローラ部１２ａの外周面に接当する複数個（本実施形態では４個の）のリブ状の突起部２３ａが設けられている。さらに、前記装着部２０ｂの、前記上部フレーム部１０ｃ側の下端部（図７（ａ）における下端部）には、側面視で三角形状の係止片２４が設けられており、この係止片２４の上方には固定片２５が設けられている。これによって、前記装着部２０ａのローラ部１２ａ側が突起部２３ａで支持され、上部フレーム部１０ｃ側が係止片２４および固定片２５で支持されるようにされている。
【００２３】
一方、前記ブレード２１は、基部２０側の面が平坦面にされて、先端が尖った形状とされ、先端から基端部に向かって次第に肉厚にされるとともに、基端部寄りの位置に、基部２０から離れる方向に突出する突出部２１'を有する側面視形状とされている。
【００２４】
このブレード２１を保持するブレード保持部２０ｂは、前記装着部２０ａの上部から、ローラ１２の軸方向に向けて広がった形状とされており（図７（ｂ）参照。）、そのブレード保持部２０ｂの先端には、前記ブレード２１の基端部から突出部２１'に至る範囲を抱持する固定片２０ｂ'が形成されている。さらに、前記ブレード保持部２０ｂは、装着部２０ａに対して所要角度傾斜するように設けられている。こうして、前記ブレード２１は、装着部２０ａに対して傾斜して固定される。
【００２５】
このように構成されるスクレーパ部４を装着するには、図８（ａ）に示されているように、前記差し込み片２３を、保持フレーム３の上部フレーム部１０ｃと、ローラ部１２ａとの間に形成される中空部１４ａに差し込んで、その差し込み片２３の凹状部分をローラ部１２ａの外周面に接当させてそのローラ部１２ａに押し付け、前記差し込み片２３の有する弾性復元力に抗してその差し込み片２３を、前記係止片２４側に撓ませ（図７（ａ）中、矢印Ｑ参照。）、この状態を保ちつつ、前記差し込み片２３とローラ部１２ａの接当面を支点として、保持フレーム３に向けて回動させ（図８（ａ）中、矢印Ｘ参照。）、前記スクレーパ部４の係止片２４を上部フレーム部１０ｃの先端部内側に押し入れ、その係止片２４を上部フレーム部１０ｃに係止させる。これによって、スクレーパ部４が保持フレーム３の先端上部に装着される。
【００２６】
一方、前記スクレーパ部４を取り外すには、スクレーパ部４を保持フレーム３の基端部に向けて押し込み、前記差し込み片２３とローラ部１２ａとの間に若干の隙間を形成させた後（図８（ｂ）参照。）、係止片２４を支点として、スクレーパ部４全体を保持フレーム３に向け回動させる（図８（ｂ）中矢Ｙ参照。）。こうすると、差し込み片２３が保持フレーム３の基端部側に撓むので、前記スクレーパ部４を保持フレーム３から容易に取り外すことができる。
【００２７】
図９（ａ）に示されるように、前記連結杆６は、前記各切欠部１０ｂ、１０ｂを貫通して、その先端部が前記保持フレーム３の内側空間で、前記ローラ１２よりもやや後方に位置するようにされており、その連結杆６の先端部には、モップヘッド７の基端部を係止するための係止片３１が固定されている。この係止片３１は、側面視コの字状に形成されており、その係止片３１の上部前端部および下部前端部には内側を向いた爪部３２が、互いに対向して、かつ前記柄部２に直交する方向（図９（ａ）における紙面奥行き方向）に向け設けられている。また、図９（ｂ）に示されるように、前記モップヘッド７の基端部にはその基端部を挟み付ける金具４１が固定され、この金具４１の基端部には前記係止片３１の内側空間でスライドしてその係止片３１に着脱自在に装着されるスライド片４２が設けられている。このスライド片４２は、その基端部上部および下部に爪部４２'が設けられて、前記係止片３１の内側形状に対応した形状とされている。こうして、係止片３１に装着されたスライド片４２を前記ローラ１２に沿った方向にスライドさせることで、そのスライド片４２を係止片３１から、すなわち、モップヘッド７を連結杆６から取り外せるようになっている。
【００２８】
前記モッヘッド７は、前記連結杆６に装着されたときに、その一部が前記ローラ１２，１２間に挟み付けられるようになっており、前記レバー５が回動操作されたときに、モップヘッド７全体がローラ１２，１２間を通って絞られるようになっている。
【００２９】
一方、図６に示されるように、前記係止片３１の外周面の上部両側部で、前記上部ガイド突起１７ａ，１７ａに対向する位置には上部溝部３５ａ，３５ａが係止片３１の先端部から基端部側に向けて（図６の紙面手前側から奥側に向けて）設けられており、前記係止片３１の外周面の下部両側部で、前記下部ガイド突起１７ｂ、１７ｂに対向する位置には前記上部溝部３５ａ，３５ａと同様の下部溝部３５ｂ，３５ｂが設けられている。また、前記各上部溝部３５ａおよび下部溝部３５ｂの、係止片３１に対する外側位置には、係止片３１の基端部で互いに繋げられた上部突条３６ａおよび下部突条３６ｂが前記各溝部３５ａ，３５ｂに沿って設けられており、前記各溝部３５ａ、３５ｂの係止片３１に対する内側位置にも、係止片３１の基端部で繋がった上部突条３７ａおよび下部溝部３７ｂが設けられている。こうして、前記上部ガイド突起１７ａは上部溝部３５ａ内に収められ、下部ガイド突起１７ｂは下部溝部３５ｂ内に収められる。したがって、前記レバー５を回動操作したとき、前記係止片３１は前記上部ガイド突起１７ａおよび下部ガイド突起１７ｂによってガイドされ、各ガイド突起１７ａ，１７ｂに沿った方向、すなわち、保持フレーム３の前後方向に向けてスムーズに移動される。
【００３０】
さらに、前記係止片３１の中間位置には、一側面に複数個（本実施形態においては６個）の上部支持条３８ａが、他側面に前記上部支持条３８ａと係止片３１の基端部で互いにつながった同数の下部支持条３８ｂがそれぞれ設けられている。こうして、前記スクレーパ部４が保持フレーム３の上部前端に装着されたときに、前記各上部支持条３８ａは係止片２４と互いに接当して、そのスクレーパ部４を保持フレーム３の内側から支持するようにされている。なお、スクレーパ部４が保持フレームの下部先端側に装着されたときには、スクレーパ部４は下部支持条３８ｂによって保持フレーム３の内側から支持される。
【００３１】
前記清掃具１を用いる際には、モップヘッド７を水あるいは洗剤入りの液体に浸して十分に湿らせた後、前記レバー５を後方に向けて回動操作する。すると、モップヘッド７は、レバー５の回動操作に連動して、互いに対向するローラ１２，１２間を通りながら、前記各ガイド突起１７ａ，１７ｂに沿って保持フレーム３の基端部に向けて移動し、それらローラ１２，１２によって絞られて適度な水気とされる。その後、レバー５を前方に向けて回動操作し、モップヘッド７が保持フレーム３の前方に位置した状態にする（図１の状態。）。そして、そのモップヘッド７を窓ガラスなどの清掃面に接当させ、前後左右に動かしてその清掃面の清掃（水拭き）を行う。
【００３２】
水拭きが終了すると清掃具１を反転させて、前記スクレーパ部４のブレード２１の先端を清掃面に接当させ、そのスクレーパ部４を、ブレード２１の長手方向に直交する方向に押し引きして、清掃面に残留する水気の除去（水切り）を行う。こうして、清掃面の水拭きおよび水切りが終了する。なお、前記スクレーパ部４を保持フレーム３の下部先端に装着した場合には、水拭き終了後に清掃具１の角度を変えて、ブレード２１の先端を清掃面に接当させ、その清掃面の水切りを行う。
【００３３】
本実施形態に係る清掃具１によれば、水拭き用のモップヘッド７と水切り用のスクレーパ部４の双方を備えているので、水拭き作業、水切り作業の両方の作業を行うことができる。そのため、水拭き作業から水切り作業に移行するときに別用具に持ち換える必要がない。また、水拭き用の清掃具と、水切り用の清掃具との２種類の清掃具を準備する必要もないので、コスト的にも収納スペース的にも有利である。
【００３４】
さらに、スクレーパ部４が支持フレーム３に着脱自在に装着されているので、スクレーパ部４が破損した場合、あるいはブレード２１が摩耗した場合であっても、速やかに新たなスクレーパ部４と交換することができる。さらにまた、モップヘッド７をローラ１２の軸心方向（図３における紙面奥方向）にスライドさせることで、そのモップヘッド７を係止片３１から取り外すことができるので、スポンジ４０の洗浄、あるいはモップヘッド７自体の交換を容易に行えることができ、衛生面に優れている。
【００３５】
また、本実施形態においては、前記各ガイド突起１７ａ、１７ｂによって、係止片３１が保持フレーム３の前端部と基端部とを結ぶ方向にガイドされるので、前記レバーを回動操作したときに、係止片３１およびこの係止片３１に装着されるモップヘッド７をスムーズに移動させることができ、前記ローラ１２，１２によるモップヘッド７の絞りを円滑に行うことができるという利点がある。加えて、本実施形態においては、前記スクレーパ部４の前部（ローラ１２側）が、突起部２３ａによって支持され、スクレーパ部４の後部（上部フレーム１０ｃ側）が上部フレーム１０ｃによって支持され、さらにスクレーパ部４の係止片２４が前記各上部支持条３８ａ（保持フレーム３の下部前端に装着した場合には下部支持条３８ｂ）によって保持フレーム３に対して支持されるので、そのスクレーパ部４を安定して支持することができる。そのため、応力が加わる水切り作業中に、スクレーパ部４がガタついたりするのを確実に防止することができる。
【００３６】
また、本実施形態においては、連結杆６側の係止片３１に、モップヘッド７側のスライド片４２を係止するようにしてモップヘッド７の着脱が容易に行えるように構成したが、連結杆６とモップヘッド７の金具４１とをネジ止めによって固定するようにしても良い。このように構成したものにおいても、ネジ止めを解除することによって、モップヘッド７の交換を行うことができる。
【００３７】
なお、本実施形態においては、柄部２の長さについては特に言及されていないが、この柄部２の長さについては当該清掃具の使用場所等に応じて適宜選択可能である。勿論、本実施形態の清掃具は窓拭きに限らず床面拭き他あらゆる用途に使用することができる。
【図面の簡単な説明】
【００３８】
【図１】本実施形態に係る清掃具の斜視図
【図２】清掃具の平面図
【図３】清掃具の側面図
【図４】清掃具の底面図
【図５】スクレーパおよび清掃体を取り外した際の平面図
【図６】図５のＡ−Ａ視拡大断面図
【図７】スクレーパ部の側面図（ａ）および正面図（ｂ）
【図８】スクレーパ部を装着するときの説明図（ａ）と、スクレーパ部を取り外すときの説明図（ｂ）
【図９】連結杆の側面図（ａ）および清掃体の側面図（ｂ）
【符号の説明】
【００３９】
１            清掃具
２            柄部
３            保持フレーム
４            スクレーパ部
５            レバー
６            連結杆
７            清掃体（モップヘッド）
１２          ローラ
２１          ブレード
３１          係止片
４２          スライド片
【図１】
2005237468.tif 000003
【図２】
2005237468.tif 000004
【図３】
2005237468.tif 000005
【図４】
2005237468.tif 000006
【図５】
2005237468.tif 000007
【図６】
2005237468.tif 000008
【図７】
2005237468.tif 000009
【図８】
2005237468.tif 000010
【図９】
2005237468.tif 000011